(57)【要約】【課題】家具の補強枠等の取付に関し、脚部への取付けが簡単であり、継手が表側から見え難く脚部用継手を提供するとともに、該脚部用継手を用いた安価で見栄栄えの良い家具を提供するものである。【解決手段】家具類の脚部間に架渡す補強枠（２２ｂ）やスノコ（２２ａ）等の架渡し体（２２）を、被取付脚部（２１）に取付けるための脚部用継手であって、前記被取付脚部（２１）に固定する取付基部（１１）と、前記架渡し体（２２）を取付ける取付腕部（１５）とからなり、前記取付基部（１１）は、隣り合う脚部（２１）を結ぶ直線よりも外部にはみ出すことがない幅寸法（ａ）で、被取付脚部（２１）の内側周縁形状に当接する形状を有し、前記取付腕部（１５）は、隣り合う脚部方向に向かって設ける。【選択図】  図１
2008208908.tif 000002
【特許請求の範囲】
【請求項１】
家具類の脚部間に架渡す補強枠（２２ｂ）やスノコ（２２ａ）等の架渡し体（２２）を、被取付脚部（２１）に取付けるための脚部用継手であって、前記被取付脚部（２１）に固定する取付基部（１１）と、前記架渡し体（２２）を取付ける取付腕部（１５）とからなり、前記取付基部（１１）は、隣り合う脚部（２１）を結ぶ直線よりも外部にはみ出すことがない幅寸法（ａ）で、被取付脚部（２１）の内側周縁形状に当接する形状を有し、前記取付腕部（１５）は、隣り合う脚部方向に向かって設けてあることを特徴とする脚部用継手。
【請求項２】
請求項１に記載の脚部用継手は、所定形状に切断した板状鋼板を折り曲げ成形して形成したものであって、取付基部（１１）の両側又は一側端に取付腕部（１５）を有し、該取付基部（１１）は上下方向に前記取付腕部（１５）の幅（ｂ）よりも長い基部延設片（１２）を有し、該基部延設片（１２）に被取付脚部（２１）に螺着固定するための脚部取付孔（１３）を設け、且つ、前記取付腕部（１５）は断面コ字状に折り曲げ形成した折片（１６）を上下に有し、被取付脚部（２１）に固定した時に下側に位置する折片（１６）には架渡し体取付孔（１７）を設けたことを特徴とする脚部用継手。
【請求項３】
請求項1または２に記載の脚部用継手の取付腕部（１５）を架渡し体（２２）の両端または/およびコーナ部から嵌合させて、前記架渡し体取付孔（１７）が下方となるように緊結具（２５）で螺着固定し、且つ、該脚部用継手の基部延設片（１２）が下側となるように被取付脚部（２１）に、脚部取付孔（１３）を用い緊結具（２５）で螺着固定したことを特徴とする該脚部用継手を用いた家具。
【発明の詳細な説明】
【技術分野】
【０００１】
この発明は、厨房機器を含む家具類の脚部間に架渡す補強枠やスノコ等の架渡し体を、被取付脚部に取付けるための脚部用継手に関する。
【背景技術】
【０００２】
家具類の脚部間に架渡す補強桟、補強枠、連結フレーム部材などの架渡し体を脚部へ取付固定するには、脚部の強度が十分保証されることは勿論のこと、この組立作業が容易で製造コストが安価なこと、出来上がった家具の見栄えが良いこと、色んな家具に対して汎用性がある取付手段であることなどが望まれる。
家具、例えば、金属製の脚部を有する厨房機器における具体的先行技術としては、特許文献１や特許文献２が知られている。
【０００３】
特許文献１は、簡易型鋼管を使用した厨房機器に関するもので、取付け部材２（本願の脚部用継手に相当）は、脚部１にはめ込まれうる内径を有した全体としては円筒形の鋼製部材であり、この脚部１に固定するためのねじをねじ込むためのねじ孔２Ａと、ブレース（枠）として簡易型鋼管３の端部を挿入するためのカマボコ型の取付け開口２Ｂとが形成されたものである（特許文献１の図１、図３参照）。この場合の家具への取付けは、簡易型鋼管３の端部と取付け部材２の取付け開口２Ｂの周縁との間に溶接を施すことにより更に補強するものである。
【０００４】
一方、特許文献２の技術は、業務用流し台や調理台、ガス台等のようなステンレス製キャビネットの脚部の組立方法に係り、特にキャビネットフレームがステンレス角パイプで形成されているキャビネットフレームの連結方法及び該方法に用いられるジョイント金具（本願の脚部用継手に相当）に関するものであり、脚フレーム部材や脚連結フレーム部材がステンレス角パイプで形成されている複数本のキャビネットフレームの連結を、キャビネットフレームの適所に固着したジョイント金具に他のキャビネットフレームの端部を嵌合しネジ止め固定するものである。（特許文献２の図４、図５参照）
【０００５】
【特許文献１】実用新案登録第３１２５３３１号公報
【特許文献２】特開２００４−２５４９１３号公報
【発明の開示】
【発明が解決しようとする課題】
【０００６】
しかしながら、前述の特許文献1の発明では、円筒状の取付け部材２を脚部に通した後に、脚部を若干広げて架渡し体であるブレース３の端部を取付け開口２Ｂに嵌め込み周囲を溶接固着するものであり、脚部が広げ難いものには対応が難しく、溶接も必要な場合があり組立作業が簡単にできない欠点があると共に、取付け部材２が円筒形であるため、脚部の表側から目視でき見栄えの点に問題があった。
また、特許文献２の発明にあっては、脚部にジョイント金具を固着し、該ジョイント金具に連結フレームの端部を勘合して、下部からネジ止め固定するものであり、ジョイント金具は連結フレームで覆われ、脚部の表側からはジョイント金具が見えないため家具の見栄えは良いものの、ジョイント金具自体が箱形状で複雑であると言う欠点があった。
【０００７】
この発明は、かかる現状に鑑み創案されたものであって、架渡し体の脚部への取付けが簡単であり、脚部用継手が表側から見え難く、色んな家具の脚部に対して簡単な折り曲げ加工で製作でき、汎用性のある脚部用継手を提供するとともに、該脚部用継手を用いた安価で見栄栄えの良い家具を提供するものである。
【課題を解決するための手段】
【０００８】
上記の目的を達成するために、請求項１記載の発明は、家具類の脚部間に架渡す補強枠やスノコ等の架渡し体を、被取付脚部に取付けるための脚部用継手であって、前記被取付脚部に固定する取付基部と、前記架渡し体を取付ける取付腕部とからなり、前記取付基部は、隣り合う脚部を結ぶ直線よりも外部にはみ出すことがない幅寸法で、被取付脚部の内側周縁形状に当接する形状を有し、前記取付腕部は、隣り合う脚部方向に向かって設けてあるものである。
本発明によると、取付基部が、隣り合う脚部を結ぶ直線よりも外部にはみ出すことがない幅寸法であるため、脚部用継手を表面に出さないように補強桟やスノコなどで覆うことができ、また、従来のように脚部を広げたり、補強枠を脚部用継手に溶接したりする必要がない。
【０００９】
更に請求項２記載の発明は、請求項１記載の発明の脚部用継手を技術的前提として、所定形状に切断した板状鋼板を折り曲げ成形のみで形成したものであって、取付基部の両側又は一側端に取付腕部を有し、該取付基部は上下方向に前記取付腕部の幅よりも長い基部延設片を有し、該基部延設片に被取付脚部に螺着固定するための脚部取付孔を設け、且つ、前記取付腕部は断面コ字状に折り曲げ形成した折片を上下に有し、被取付脚部に固定した時に下側に位置する折片には架渡し体取付孔を設けたものである。
本発明によると、請求項1に記載の効果に加え、板状鋼板を折り曲げ成形した継手であるため、従来の円形状の継手に比べて各種の脚部形状に簡単に対応でき少量多品種生産が行いやすく家具製造時の継手在庫を少なくすることができる。また、取付腕部の幅よりも長い基部延設片に脚部取付孔を設けているので、補強枠などが障害にならず脚部用継手を脚部に取付け易い。
【００１０】
また、請求項３に記載の発明は、請求項１または２に記載の脚部用継手を技術的前提とし、該脚部用継手の取付腕部を架渡し体の両端または/およびコーナ部から嵌合させて、前記架渡し体取付孔が下方となるように緊結具で螺着固定し、且つ、該脚部用継手の基部延設片が下側となるように被取付脚部に、脚部取付孔を用い緊結具（２５）で螺着固定した家具である。
本発明によると、従来の円筒状継手を用いた家具では、脚部に円筒状継手を通した後に補強枠やスノコを該円筒状継手間に架渡して、その後溶接を行い該円筒状継手を脚部にねじで固定する。または、円筒状継手を補強枠やスノコに固定した後、補強枠やスノコに固定されている円筒状継手を脚部に通し該円筒状継手を脚部にねじで固定する必要があったが、被取付脚部に継手を通すことなく取付固定でき組立作業が容易にできる。また、架渡し体の被取付脚部への取付固定が、被取付脚部の内側及び下側から全て行えるため、緊結具が家具表面から見えず、家具の見栄えを向上させることができる。
【発明の効果】
【００１１】
この発明にかかる脚部用継手、および、該脚部用継手を用いた家具は、以上説明した如き内容のものなので、脚部に脚部用継手を通さず家具組立ができ、家具の表側から脚部用継手は見難く家具の見栄えがよく、脚部用継手の製作にあっても、鋼板からプレス加工して容易に低コストで対応できる。
【発明を実施するための最良の形態】
【００１２】
以下、図面に基づき、この発明の詳細を説明する。
図１は、本発明の一実施例である脚部用継手の斜視図であり、図２は図１の成形前脚部用継手の鋼板展開平面図を示し、図３は脚部用継手を用いた家具の組立説明図で、図４は脚部用継手の丸パイプ脚部への固定構造を説明する断面図で、図５は脚部用継手を用いる家具例の斜視図である。
【実施例１】
【００１３】
本実施例１は図５に示す調理台２０のスノコ２２ａの取付に用いる脚部２１が丸パイプ２１ａ用の二方継手である。調理台２０はステンレス製で天板２３の奥側にバックガード２４が立設し、天板２３の四隅にステンレスの丸パイプ２１ａの脚部２１を設け、脚部間の下部にはスノコ２２ａを、そして奥側の脚部間には補強枠２２ｂを設けた厨房機器２０、または、厨房用家具２０であり、丸パイプ２１ａの外径はφ３８ｍｍが用いられている。
【００１４】
本実施例１の脚部用継手１０の素材はＳＵＳ４３０で板厚１．５ｍｍのステンレス鋼板である。ステンレス鋼板を図２に示す展開平面図に切断し、取付基部１１に脚部取付孔１３を２個設けると共に、取付腕部１５の両側の折片１６の一方側にそれぞれ２個の架渡し体取付孔１７を穿孔し、一点鎖線で示す位置でプレス機を用いて折り曲げ成形することにより、図１の形状の脚部用継手１０に形成した。この折り曲げ成形にあっては、同時に取付基部１１も図４の如く、被取付脚部２１の周縁に沿うように湾曲成形し、脚部用継手１０を脚部２１に当接させやすくしている。
【００１５】
因みに、本実施例１は、取付基部１１の上下高さは４７ｍｍで幅寸法ａは１８ｍｍであり、取付腕部１５の幅ｂは２９ｍｍで折片１６の横幅が４８ｍｍ、奥行きが１４ｍｍになるように成形している。なお、取付基部１１の湾曲形状は、脚部２１の周縁に沿うように局率半径Ｒ＝１９ｍｍとした。このように取付基部１１の幅寸法ａを脚部丸パイプ２１ａの外周長さの１/４、即ち９０度分以下とすることで、家具２０の表側から脚部用継手１０を見え難くすることができる。
【００１６】
次に、この実施例の脚部用継手１０を用いて調理台２０にスノコ２２ａを取付ける方法について説明する。本来はスノコ２２ａに脚部用継手１０を取付けた後に、調理台２０を天地逆転させ裏側から調理台２０の脚部２１に取付けることが好ましいが、説明を容易にするため図３、図４は先に脚部２１へ脚部用継手１０を取付けた状態の図を示している。図５、図３に示すスノコ２２ａは、長方形に切断したステンレス鋼板の脚部２１に対応する四隅を切り欠き、四辺を下方に折り曲げ、その先端側を内側に更に折り曲げ成形したものである。この四辺の折り曲げ加工はスノコ２２ａの耐荷重強度を上げるとともに、家具２０への取付に際して脚部用継手１０を覆って継手を外部に見えないようにする役目を持ち、その折り曲げ部に脚部用継手１０の取付腕部１５を嵌入固定できる形状の大きさに形成される。また、スノコ２２ａの内側折り曲げ部の切り欠き近傍には、架渡し体取付孔１７に対応する位置に孔が設けられている。
【００１７】
先ず、前述の加工がなされたスノコ２２ａの四隅の切り欠き部に丸パイプ２１ａ用の二方継手である本実施例１の脚部用継手１０を基部延設片１２がスノコ２２ａの裏面側、即ち折り曲げ側を向く方向で挿入し、スノコ２２ａの孔と架渡し体取付孔１７を一致させて、ねじ２５等の緊結具でスノコ２２ａの四隅に脚部用継手１０を固着する。次いで、調理台２０を天地逆転させて脚部２１が上になった脚部間に、スノコ２２ａの裏面を上向きとしてセットして、脚部用継手１０の脚部取付孔１３にねじ２５を挿入して四隅の脚部２１に螺着固定することにより調理台２０にスノコ２２ａを組み立てることができる。尚、脚部２１には事前にスノコ２２ａを取付ける高さ位置にタップによるねじ孔を穿孔してある。
このように、本実施例１の脚部用継手１０を使用すると、溶接などは必要なく容易にスノコ２２ａの組立が可能となる。
【実施例２】
【００１８】
次に図６で二方継手である他の脚部用継手１０の実施例２を示す。図６は、実施例１の脚部２１が丸パイプ２１ａであったのに対して角パイプ２１ｂである点で相違するもので、家具２０への組立方法等は実施例１と同様であるため実施例１との相違点のみを以下説明する。
実施例２の脚部用継手１０は、取付基部１１が角パイプ２１ｂの周縁に沿うように約９０度に折り曲げ形成される。脚部取付孔１３の穿孔位置は折り曲げた両辺に高さ位置違えて少なくとも一つづつ設けたものである。このように被取付脚部２１の周縁に沿うように脚部用継手１０の取付基部１１を湾曲または折り曲げることにより、脚部２１に安定してかつ容易に架渡し体２２を取付けることができる。また、実施例２の取付基部１１も、隣り合う脚部２１を結ぶ直線よりも外部にはみ出さない幅寸法ａにすることで、家具２０の表側から脚部用継手１０は見えず、見栄えがよい。
【実施例３】
【００１９】
さらに、他の実施例３を図７、図８に示す。同様に実施例１と同じ部分は省略し、相違点のみを以下説明する。
本実施例３は、一方継手で、図５の補強枠２２ｂの取り付けに用いられもものである。図７は斜視図で、図８は成形前の脚部用継手１０の鋼板展開平面図である。一点鎖線部分で折り曲げ成形して、図８の形状に形成する。
【００２０】
以上、本発明の実施例を説明してきたが、具体的な構成はこれら実施例に限られるものではなく、例えば、本実施例１では、調理台２０や脚部用継手１０をステンレス鋼で示したが、その材質はアルミニウムや強化プラスチックなどであっても良い。
【００２１】
また、実施例１乃至３では、脚部用継手１０の折片１６の折り曲げ方向を外向きにコ字状に成形した例で示したが、逆の内向きコ字状でも良い。しかしながら、好ましくは外向きコ字状の方が取付基部１１の幅が狭くても脚部取付孔１３への緊結作業が行い易く、また、脚部用継手１０が外部から見え難くしやすい。
【図面の簡単な説明】
【００２２】
【図１】本発明の一実施例である脚部用継手の斜視図である。
【図２】図１の成形前脚部用継手の鋼板展開平面図である。
【図３】図１の脚部用継手を用いた家具の組立説明図である。
【図４】図１の脚部用継手の丸パイプ脚部への固定構造を説明する断面図である。
【図５】本発明の脚部用継手を用いる家具例の斜視図である。
【図６】本発明の他の実施例で角パイプ脚部への固定を説明する断面図である。
【図７】本発明の脚部用継手の他の実施例の斜視図である。
【図８】図７の成形前脚部用継手の鋼板展開平面図である。
【符号の説明】
【００２３】
１０  脚部用継手
１１  取付基部
１２  基部延設片
１３  脚部取付孔
１５  取付腕部
１６  折片
１７  架渡し体取付孔
２０  調理台（厨房機器、家具）
２１  脚部
２１ａ  丸パイプ
２１ｂ  角パイプ
２２  架渡し体
２２ａ  スノコ
２２ｂ  補強枠
２３  天板
２４  バックガード
２５  ねじ（緊結具）
【図１】
2008208908.tif 000003
【図２】
2008208908.tif 000004
【図３】
2008208908.tif 000005
【図４】
2008208908.tif 000006
【図５】
2008208908.tif 000007
【図６】
2008208908.tif 000008
【図７】
2008208908.tif 000009
【図８】
2008208908.tif 000010